(57)【要約】【課題】座席部に着座したままで、運転者の片足及び両足を走行面に対して咄嗟に接地することができる電動車を提供する。【解決手段】停車時及び乗降時において、座席部６０に対して略正面向き状態に着座したままで、運転者の片足及び両足を走行面に即接地して、身体及び車両全体を安定した姿勢に支える。走行時において、座席部６０に着座する運転者の片足及び両足を車体２０の足載せ部２３に載せて走行する。且つ、乗降時において、運転者の足を車体２０の足載せ部２３に載せることなく、車体２０及び座席部６０を跨ぐようにして乗降する。且つ、操舵部５０及び座席部６０を、車体２０の足載せ部２３と略対向する状態に折畳むことができる。【選択図】  図１
2004209037.tif 000002
【特許請求の範囲】
【請求項１】
車体前部に軸支された一つの前部車輪と、該車体後部に軸支された電動モータで駆動する左右の後部車輪と、該前部車輪の向きを変更する操舵部と、該操舵部を操作する運転者が着座する座席部とを備えた電動車であって、
上記車体中央部の足載せ部を、上記座席部に着座する運転者の片足及び両足が載置許容され、該座席部に着座したままで運転者の片足及び両足が走行面に対して接地許容される大きさに形成した
電動車。
【請求項２】
上記車体中央部の足載せ部を、平面から見て滑らかな曲線形状に形成した
請求項１記載の電動車。
【請求項３】
上記操舵部及び座席部を、上記車体の足載せ部と対向する状態に折畳み可能に設けた
請求項１記載の電動車。
【請求項４】
上記後部車輪を、上記車体の車幅と略同等となる車輪幅に隔てて該車体後部に軸架した車軸両端部に取り付けた
請求項１記載の電動車。
【発明の詳細な説明】
【０００１】
【発明の属する技術分野】
この発明は、例えば老人（セニア）や身体障害者、病弱者等の利用者が移動及び外出するときに用いられる電動車（セニアカー）に関する。
【０００２】
【従来の技術】
従来、上述の電動車としては、例えば車体前部に軸支された一つの前部車輪と、車体後部に軸支された左右一対の後部車輪と、前部車輪の向きを変更する操舵部（ハンドル）と、その操舵部を操作する運転者が着座する背凭れ付き座席部とを備えた特許文献１の電動車がある。
【０００３】
【特許文献１】
特開平６−１１４０８６号公報。
【０００４】
【発明が解決しようとする課題】
しかし、上述の電動車は、例えば老人（セニア）や身体障害者等の運転者の両足が載置される車体中央部の足載せ部を、後部車輪の車幅と略同等となる幅に形成しているので、走行時及び停車時、進路変更時において、車体が左右に傾いた場合、座席部に対して略正面向き状態に着座したままで、運転者の片足及び両足を走行面に接地することが困難である。且つ、運転者の着座する位置及び向き、姿勢を変更する等して、片足及び両足を車体外側に突き出して走行面に接地する必要があるが、運転者の運動能力が低いと、片足及び両足を瞬時に接地することが難しく、運転者が座席部から転げ落ちるか、車両全体が横転及び転倒することがあり、車両全体を安定した姿勢に支えることができない。また、アームレストが背凭れ部又は座席部に取り付けられていると、足を接地する動作及び乗降する動作の妨げとなる。且つ、運転者の片足を車体の足載せ部に載せて乗降しなければならず、車両全体が片足を載せた側に傾きやすく不安定である。
【０００５】
この発明は上記問題に鑑み、車体の足載せ部を、座席部に着座したままで運転者の足が走行面に対して接地許容される大きさ及び形状に形成することにより、身体及び車両本体を安定した姿勢に支持することができる電動車の提供を目的とする。
【０００６】
【課題を解決するための手段】
この発明は、車体前部に軸支された一つの前部車輪と、該車体後部に軸支された電動モータで駆動する左右の後部車輪と、該前部車輪の向きを変更する操舵部と、該操舵部を操作する運転者が着座する座席部とを備えた電動車であって、上記車体中央部の足載せ部を、上記座席部に着座する運転者の片足及び両足が載置許容され、該座席部に着座したままで運転者の片足及び両足が走行面に対して接地許容される大きさに形成した電動車であることを特徴とする。
【０００７】
つまり、停車時及び乗降時において、スクーター型を有する電動車の座席部に対して略正面向き状態に着座したままで、運転者の片足及び両足を走行面に対して瞬時に接地して、身体及び車両全体を安定した姿勢に支える。且つ、走行時において、座席部に着座する運転者の片足及び両足を車体の足載せ部に載せて走行する。且つ、乗降時において、運転者の足を車体の足載せ部に載せることなく、車体及び座席部を跨ぐようにして乗降することができる。
【０００８】
実施の形態として、上記車体の足載せ部を、平面から見て滑らかな曲線形状に形成することができる。また、上記操舵部及び座席部を、上記車体の足載せ部と略対向する状態に折畳み可能に設けることができ、その折畳み方法としては、例えば上下軸部に固定した一対の嵌合部を互いに合致した状態にネジ軸で締付け固定する方法、ネジやボルトで締付け固定する方法等で構成することができる。また、上記後部車輪を、上記車体の車幅と略同等となる車輪幅に隔てて該車体後部に軸架した車軸両端部に取り付けることができる。
【０００９】
【作用及び効果】
この発明によれば、電動車の座席部に対して略正面向き状態に着座したままで、運転者の片足及び両足を走行面に対して咄嗟に接地することができるので、運転者の着座する位置及び向き、姿勢を変更する必要がなく、運転者の運動能力が低くても、身体及び車両全体を安定した姿勢に支えることができる。且つ、乗降時において、運転者の足を車体の足載せ部に載せず、車体及び座席部を跨ぐようにして乗降することができるので、車体が左右に傾いたりせず、安定しているため、老人でも乗降が容易に行える。
【００１０】
且つ、操舵部及び座席部を、車体の足載せ部と略対向する状態に折畳むことができるので、保管スペースが小さくて済み、持ち運び及び運搬するのに大変便利であるだけでなく、例えば自動車や台車、人の手で運搬する等して、所望する場所で乗用することができる。
【００１１】
【実施例】
この発明の一実施例を以下図面に基づいて詳述する。
【００１２】
図面は、老人が移動及び外出するときに用いられるスクーター型の電動車を示し、図１及び図２に於いて、この電動車１０（例えばセニアカー）は、車体２０前部を支持する１本の前部車輪３０（タイヤ）と、車体２０後部に軸支された２本１組の後部車輪４０（タイヤ）と、前部車輪３０の向きを変更及び操舵する操舵部５０と、運転者（特にセニア）が着座する背凭れ付き座席部６０とで構成される５輪式の電動車両である。
【００１３】
上述の車体２０は、図４、図５、図６、図７にも示すように、例えばプラスチック（ＡＢＳ樹脂）や金属、木等の材質で形成したカバー２１を、金属製の車体枠２２上面に固定している。且つ、カバー２１の上面側中央部に形成した足載せ部２３を、平面から見て滑らかな曲線形状に形成すると共に、足載せ部２３の横幅を、座席部６０に着座する運転者の片足及び両足が載置許容され、後部車輪３０，３０の車輪幅よりも幅狭に形成し、座席部６０に対して略正面向き状態に着座したままで、運転者の片足及び両足が走行面に対して接地許容される大きさ及び形状に形成している。また、後部車輪３０を走行面に対して浮いた状態に支持する支持脚（図示省略）を車体枠２２に取り付けてもよい。
【００１４】
且つ、車体２０に搭載した充電式のバッテリー２４は、足載せ部２３に形成した収納部２５に対して出し入れ可能に設けられ、後述するブレーキランプ２７及びウインカーランプ２８，５５、ヘッドランプ５４、警笛器５６に対して電気を供給する。充電時において、収納部２５の上面側開口部に取り付けられた蓋部２６を開放して、収納部２５から取り出したバッテリー２４を、家庭用電源（図示省略）に接続して所定時間充電する。また、バッテリー２４を、収納部２５に収納したまま充電することもできる。且つ、ブレーキランプ２７及びウインカーランプ２８を、カバー２１の後部外面に対して後向きに取り付けている。
【００１５】
前述の前部車輪３０は、支持枠３１下部に軸架した車軸３２に対して取り付けられ、支持枠３１上部に固定した軸部３３を、車体２０前部（車体枠２２前部）に連設した略筒状の軸受部２２ａにより左右回転可能（左右旋回可能）に軸受して、所望する方向及び角度に対して向き変更可能に設けている。
【００１６】
前述の後部車輪４０は、車体２０後部（車体枠２２後部）に軸架した車軸４１の両端部に対して２本ずつ取り付けられ、道路交通法で定められた車幅（例えば略６５ｃｍ〜略７０ｃｍの範囲内）と略同等の車輪幅又は同等以下の車輪幅に隔てて配列している。且つ、車体２０後部に搭載した電動モータ４２は、バッテリー２４から供給される電力で駆動され、ギャ４３，４４及びチェーン４５を介して、車軸４０に対して回転力を伝達し、２本１組の後部車輪４０を前進方向及び後進方向に回転駆動する。
【００１７】
且つ、電動車１０の走行速度を、法定速度（例えば略６キロ以下）を超えない範囲で複数段階（例えば４ｋｍ及び６ｋｍの２段階）に変速可能に設けている。また、後部車輪４０を、車軸４１の両端部に対して１本ずつ取り付けて３輪に変更してもよい。
【００１８】
前述の操舵部５０は、ハンドル５１中央部に垂設した軸部５２下端と、車体枠２２の軸受部２２ａ上端に突出する前部車輪３０の支持枠３１に固定した軸部３３上端とを後述する連結具７０で連結して、操舵部５０全体を、略鉛直に起立した起立状態（図１及び図２参照）と、車体２０の足載せ部２３と対向する状態に傾倒した折畳み状態（図３参照）とに前後回動可能に設けている。また、操舵部５０を、例えば略斜め後方に傾斜した状態に起立固定してもよい。
【００１９】
且つ、手動式ブレーキ５１ａ及びウインカースイッチ５１ｂ、警笛器スイッチ５１ｃをハンドル５１の左側端部に取り付け、アクセルスイッチ５１ｄをハンドル５１の右側端部に取り付け、ヘッドランプ５４及びウインカーランプ５５、警笛器５６を、ハンドル５１中央部に取り付けたカバー５３前面に対して前向きに取り付け、キースイッチ５７をカバー５３後面に対して後向きに取り付けている。また、バッテリー残量計５８を運転者から容易に視認することができるカバー５３上面に対して略上向きに取り付けている。
【００２０】
前述の座席部６０は、サドル６１下面に垂設した軸部６２下端と、車体２０後部（車体枠２２後部）に立設した軸部６３上端とを連結具７０で連結して、座席部６０全体を、略鉛直に起立した起立状態（図１及び図２参照）と、車体２０の足載せ部２３と対向する状態に傾倒した折畳み状態（図３参照）とに前後回動可能に設けている。且つ、サドル６１を所望する高さに上下調節自在に設け、背凭れ部６４をサドル６１後部に取り付けている。且つ、図１に示すように、荷物が載置される荷台６５を座席部６０下面の軸部６２に取り付けるか、荷物が収容される収容ボックス６６を荷台６５に取り付けるか、荷物が投入される籠６７を操舵部５０前面に取り付けることもできる。
【００２１】
前述の操舵部５０及び座席部６０に設けた連結部７０は略同一構造であるので、操舵部５０側に設けた連結部７０の構造及び作用を図に基づいて説明する。上述の連結具７０は、図８及び図９にも示すように、互いに合致する大きさ及び形状に形成した上下一対の嵌合部７１，７１を軸部３３，５２の対向端部に固定すると共に、嵌合部７１，７１の一端側を折畳み方向に対して前後回動可能に連結している。
【００２２】
つまり、操舵部５０を略鉛直に起立して、軸部３３，５２に固定した嵌合部７１，７１を互いに嵌合したとき、一方の嵌合部７１に取り付けたネジ軸７２を、他方の嵌合部７１に形成した溝部７３に対して差込み、ネジ軸７２に連結したレバー７４を回動操作して、ネジ軸７２に巻回したコイルスプリング７５の復元力に抗して、嵌合部７１，７１の嵌合状態が維持される方向に締め付け力を付与し、操舵部５０を略鉛直に起立した状態（図１及び図２参照）に固定及び特定方向に回動規制した状態に回り止めする。
【００２３】
一方、ネジ軸７２による締め付け固定を解除して、ネジ軸７２を溝部７３から抜取ると、嵌合部７１，７１の嵌合固定が解除され、操舵部５０を、車体２０の足載せ部２３と対向する折畳み方向に対して回動（図３参照）することができる。なお、座席部６０の連結具７０は、嵌合部７１，７１を軸部６２，６３の対向端部に固定しており、前述の操舵部５０の連結具７０と略同一の構造であるので、その詳細な構造及び連結方法の説明を省略する。また、ネジ軸７２の代わりに、例えばカムやフック等で回動固定することもできる。
【００２４】
図示実施例は上記の如く構成するものにして、以下、スクーター型を有する電動車１０の乗車方法及び折畳み方法を説明する。
【００２５】
先ず、乗車する場合、図１及び図２に示すように、電動車１０を構成する車体２０の足載せ部２３が車幅よりも幅狭且つスリムであるため、運転者の足を車体２０の足載せ部２３に載せることなく、車体２０及び座席部６０を跨ぐようにして、車体２０の両側部（サイド側）から座席部６０に着座及び乗降することができる。また、運転者の足を車体２０の足載せ部２３に載せて乗降することもできる。
【００２６】
停車時及び乗降時において、座席部６０に対して略正面向き状態に着座したままで、運転者の片足及び両足を走行面に対して咄嗟に接地して、身体及び車両全体を安定した姿勢に支える。且つ、走行時において、座席部６０に着座する運転者の片足及び両足を車体２０の足載せ部２３に載せて走行する。また、走行時及び進路変更時において、運転者の片足及び両足を走行面に接地して姿勢の安定を図ることもできる。
【００２７】
且つ、電動車１０を保管及び運搬する場合、図３に示すように、座席部６０の連結具７０による固定を解除し、座席部６０を横向きに回動して、車体２０の足載せ部２３と略対向する状態に折畳んだ後、操舵部５０の連結具７０による固定を解除して、操舵部５０を、先に折畳まれた座席部６０上に折り重ねるようにして折畳むので、車両全体の嵩が低くなり、従来例の電動車よりも重量が軽く、取り扱いが簡単且つ容易に行える。
【００２８】
以上のように、電動車１０の座席部６０に対して略正面向き状態に着座したままで、運転者の片足及び両足を走行面に対して咄嗟に接地することができるので、運転者の着座する位置及び向き、姿勢を変更する必要がなく、運転者の運動能力が低くても、身体及び車両全体を安定した姿勢に支えることができる。且つ、アームレストが取り付けられておらず、乗降時において、運転者の足を車体２０の足載せ部２３に載せることなく、車体２０及び座席部６０を跨ぐようにして乗降することができるので、車体２０が左右に傾いたりせず、安定しているため、老人でも乗降が容易に行える。
【００２９】
且つ、操舵部５０及び座席部６０を、車体２０の足載せ部２３と略対向する状態に折畳むことができるので、保管スペースが小さくて済み、持ち運び及び運搬するのに大変便利であるだけでなく、例えば自動車や台車、人の手で運搬する等して、所望する場所で乗用することができる。
【００３０】
且つ、後部車輪４０，４０を、車体２０の車幅と略同等となる車輪幅に隔てて車軸４１両端部に２本ずつ１組にして取り付けているので、走行時及び停車時の安定性が良く、例えば坂道や泥濘等を走破する走破力及びグリップ力が向上する。且つ、車体２０の足載せ部２３を後部車輪３０，３０の車輪幅よりも幅狭及びスリムで、滑らかな曲線形状に形成しているので、シニアカーであるにもかかわらず、若者向けのイメージを運転者及び周囲の人に対して与えることができる。
【００３１】
且つ、アームレストを取り付ける必要がなく、車体２０の足載せ部２３を幅狭及びスリムに形成しているので、従来例の電動車に比べて車両全体の総重量が軽く、持ち運び及び運搬作業が楽に行えると共に、登坂力が向上し、安価に製作することができる。
【図面の簡単な説明】
【図１】電動車の走行形態を示す斜視図。
【図２】電動車を側方から見た状態を示す側面図。
【図３】電動車の折畳み形態を示す斜視図。
【図４】走行形態の電動車を前方から見た状態を示す正面図。
【図５】走行形態の電動車を後方から見た状態を示す背面図。
【図６】走行形態の電動車を上方から見た状態を示す平面図。
【図７】電動車の駆動系を下方から見た状態を示す底面図。
【図８】連結部の固定解除状態を示す斜視図。
【図９】連結部による固定状態を示す斜視図。
【符号の説明】
１０…電動車
２０…車体
２３…足載せ部
２４…バッテリー
３０…前部車輪
４０…後部車輪
４２…電動モータ
５０…操舵部
６０…座席部
６４…背凭れ部
７０…連結具
【図１】
2004209037.tif 000003
【図２】
2004209037.tif 000004
【図３】
2004209037.tif 000005
【図４】
2004209037.tif 000006
【図５】
2004209037.tif 000007
【図６】
2004209037.tif 000008
【図７】
2004209037.tif 000009
【図８】
2004209037.tif 000010
【図９】
2004209037.tif 000011